(57)【要約】【課題】カメラとフレキシブル基板との取り付け位置が設計値から外れていても、カメラをカメラ検査装置に取り付けた際に、カメラとフレキシブル基板との間に応力が生じ難いカメラ検査装置を提供すること。【解決手段】カメラ検査装置１において、検査対象となるカメラ１００が取り付けられるカメラ取付体２と、このカメラ取付体２に取り付けられたカメラ１００のフレキシブル基板１０４に設けられる電極１０６に接続する第１電極１９と、カメラ取付体２に設けられる第２電極１５に接続する第３電極２０とを有する中継部材１１と、カメラ１００をカメラ取付体２に対して位置決めするカメラ位置決め部１０と、フレキシブル基板１０４を中継部材１１に対して位置決めするフレキシブル基板位置決め部１２とを有し、中継部材１１は、カメラ取付体２に対してフレキシブル基板１０４の幅方向に移動可能であることとする。【選択図】図３
2014081525.tif 000002
【特許請求の範囲】
【請求項１】
カメラ検査装置において、
検査対象となるカメラが取り付けられるカメラ取付体と、
前記カメラ取付体に取り付けられた前記カメラのフレキシブル基板に設けられる電極に接続する第１電極と、前記カメラ取付体に設けられる第２電極に接続する第３電極とを有する中継部材と、
前記カメラを前記カメラ取付体に対して位置決めするカメラ位置決め部と、
前記フレキシブル基板を前記中継部材に対して位置決めするフレキシブル基板位置決め部と、
を有し、
前記中継部材は、前記カメラ取付体に対して少なくとも前記フレキシブル基板の幅方向に移動可能である、
ことを特徴とするカメラ検査装置。
【請求項２】
請求項１に記載のカメラ検査装置において、
前記第２電極および前記第３電極のそれぞれの配置のピッチは、前記第１電極の配置のピッチよりも広く、前記第２電極および前記第３電極の少なくとも一方の前記幅方向の寸法は、前記第１電極の前記幅方向の寸法よりも広い、
ことを特徴とするカメラ検査装置。
【請求項３】
請求項２に記載のカメラ検査装置において、
前記第２電極および前記第３電極の前記幅方向の寸法は、前記第１電極の前記幅方向の寸法よりも広い、
ことを特徴とするカメラ検査装置。
【請求項４】
請求項１または２に記載のカメラ検査装置において、
前記第１電極は、弾性部材により支持されている、
ことを特徴とするカメラ検査装置。
【請求項５】
請求項１から３のいずれか１項に記載のカメラ検査装置において、
前記第２電極または前記第３電極のいずれか一方は、弾性部材により支持されている、
ことを特徴とするカメラ検査装置。
【請求項６】
請求項１から５のいずれか１項に記載のカメラ検査装置において、
前記第１電極と前記第３電極とは、前記中継部材の内部において互いに接続されている、
ことを特徴とするカメラ検査装置。
【発明の詳細な説明】
【技術分野】
【０００１】
本発明は、カメラ検査装置に関する。
【背景技術】
【０００２】
撮影レンズと撮像素子とが１つの筐体内に組み込まれモジュール化され、携帯電話やウエブカメラ等の電子機器に組み込まれた状態で使用されるカメラモジュール（以下、単に、カメラと記載する。）が知られている。このようなカメラの製造にあたっては、たとえば、特許文献１に開示されるように、画像評価用のチャートを撮影し、その撮像状態に基づいて、撮影レンズのピント合わせ等の調整を行うカメラ検査装置が用いられることがある。
【０００３】
かかるカメラ検査装置においては、カメラをカメラ検査装置に取り付けるカメラ固定治具（カメラ取付体）が備えられている。また、カメラには、カメラとカメラの制御装置とを接続するためのフレキシブル基板が取り付けられている構成のものがある。フレキシブル基板を備えるカメラにおいては、カメラをカメラ検査装置に取り付けるに際し、カメラをカメラ固定治具に対して所定の検査位置（カメラ検査装置側の光学系の光軸にカメラの撮影レンズの光軸を一致させる位置）に位置決め固定すると共に、フレキシブル基板の電極とカメラ検査装置側の電極との接続を行う必要がある。カメラ検査装置側の電極は、カメラ検査装置の検査回路等を備える制御部に繋がっていて、フレキシブル基板の電極がカメラ検査装置側の電極に接続されることで、カメラの駆動を行ったり、カメラのピント状態等について検査を行うことができる。
【先行技術文献】
【特許文献】
【０００４】
【特許文献１】特開２００６−２０８９３２号
【発明の概要】
【発明が解決しようとする課題】
【０００５】
しかしながら、フレキブル基板のカメラへの取り付け位置や取り付け角度には、カメラ毎に個体差がある。一方、カメラ検査装置においては、カメラの取り付け位置と、フレキシブル基板が接続されるカメラ検査装置側の電極との位置関係は固定である。すなわち、カメラの取り付け位置とカメラ検査装置側の電極との位置関係は、カメラの設計値に併せて配置されている。そのため、設計値通りにフレキブル基板がカメラに取り付けられていない場合には、カメラをカメラ検査装置に取り付けた際に、フレキシブル基板に応力が生じてしまうことがある。
【０００６】
フレキシブル基板は、厚さ方向については可撓性を有するため、この可撓性の方向についてはフレキシブル基板に応力が生じ難い。一方、フレキシブル基板は、幅方向についての可撓性が小さい。そのため、この幅方向についてフレキシブル基板のカメラへの取り付け位置等にばらつきがあると、カメラとフレキブル基板とをカメラ検査装置に取り付けた際に、フレキシブル基板に応力が生じ易い。そして、かかる応力によりカメラを所定の検査位置に位置決めすることができなかったり、フレキブル基板とカメラ検査装置側の電極との接続に不良が発生したり、あるいはフレキシブル基板とカメラとの接続部が破断してしまうという問題がある。
【０００７】
そこで、本発明は、カメラとフレキシブル基板との取り付け位置が設計値から外れていても、カメラをカメラ検査装置に取り付けた際に、カメラとフレキシブル基板との間に応力が生じ難いカメラ検査装置を提供することを目的とする。
【課題を解決するための手段】
【０００８】
上記課題を解決するため、カメラ検査装置において、検査対象となるカメラが取り付けられるカメラ取付体と、カメラ取付体に取り付けられたカメラのフレキシブル基板に設けられる電極に接続する第１電極と、カメラ取付体に設けられる第２電極に接続する第３電極とを有する中継部材と、カメラをカメラ取付体に対して位置決めするカメラ位置決め部と、フレキシブル基板を中継部材に対して位置決めするフレキシブル基板位置決め部とを有し、中継部材は、カメラ取付体に対して少なくともフレキシブル基板の幅方向に移動可能であることとする。
【０００９】
上記発明において、第２電極および第３電極のそれぞれの配置のピッチは、第１電極の配置のピッチよりも広く、第２電極および第３電極の少なくとも一方の幅方向の寸法は、第１電極の幅方向の寸法よりも広いことが好ましい。
【００１０】
上記発明において、第２電極および第３電極の幅方向の寸法は、第１電極の幅方向の寸法よりも広いことが好ましい。
【００１１】
上記発明において、第１電極は、弾性部材により支持されていることが好ましい。
【００１２】
上記発明において、第２電極または第３電極のいずれか一方は、弾性部材により支持されていることが好ましい。
【００１３】
上記発明において、第１電極と第３電極とは、中継部材の内部において互いに接続されていることが好ましい。
【発明の効果】
【００１４】
本発明によれば、カメラとフレキシブル基板との取り付け位置が設計値から外れていても、カメラをカメラ検査装置に取り付けた際に、カメラとフレキシブル基板との間に応力が生じ難いカメラ検査装置を提供することができる。
【図面の簡単な説明】
【００１５】
【図１】本発明のカメラ検査装置の概略の構成を示す図である。
【図２】カメラ検査装置の検査対象となるカメラの概略の構成を示す図である。
【図３】カメラ取付体の平面図である。
【図４】図３に示す切断性Ａ−Ａにおけるカメラ取付体の断面の概略の構成を示す図である。
【図５】中継基板の構成を示す図である。
【図６】カメラ検査装置の第１電極、第３電極、第２電極の配置等を示す図である。
【図７】回転テーブルにより複数のカメラ取付体が回転され、順次、検査位置に配置されるカメラに対して検査および調整を行う構成を示す図である。
【発明を実施するための形態】
【００１６】
以下、本発明に係る、カメラ検査装置の実施の形態について図面を参照しながら説明する。
【００１７】
（カメラ検査装置１の全体構成）
図１は、本発明に係るカメラ検査装置１の概略の構成を示す図である。なお、以下の説明において、カメラ検査装置１の光軸Ｘ１に沿う方向をＸ方向、Ｘ方向に直交する方向であって、図１の左右方向をＹ方向、図１の紙面に垂直な方向をＺ方向として説明する。
【００１８】
カメラ検査装置１は、被検査対象であるカメラ１００（カメラモジュール）が取り付けられるカメラ取付体２と、このカメラ取付体２が取り付けられるステージ３と、画像評価用のチャート４と、カメラ１００の撮影レンズ１０１に対してピント調整を行う調整機構５と、制御部６と、これらを収容する筐体７等を有している。カメラ検査装置１は、カメラ１００で撮影されたチャート４の像に基づいてピント状態（合焦状態）を検出し、この検出結果に基づいて、制御部６は、調整機構５を駆動して撮影レンズ１０１のピント調整を行うことができる。
【００１９】
（カメラ１００の概略構成）
図２は、被検査対象であるカメラ１００の一例の概略の構成を示す図である。カメラ１００は、撮影レンズ１０１を保持する鏡筒部１０２と、撮像素子１０３と、撮像素子１０３に接続されるフレキシブル基板１０４と、筐体１０５等を有する。鏡筒部１０２は、筐体１０５に対して取り付けられている。つまり、筐体１０５は光学系保持部として構成されている。撮像素子１０３は、筐体１０５内に収容され、撮影レンズ１０１による結像を撮像する。
【００２０】
フレキシブル基板１０４は、撮像素子１０３に接続され、筐体１０５の外部に引き出されている。たとえば、カメラ１００を携帯電話に組み込んだときには、フレキシブル基板１０４を介して携帯電話の制御部とカメラ１００とが接続され、カメラ１００の駆動制御が行われる。なお、カメラ１００は、撮影レンズ１０１を、鏡筒部１０２を用いずに筐体１０５に直接保持する構成とすることもできる。また、カメラ１００は、筐体１０５の代わりに鏡筒部１０２を筐体と兼ね、鏡筒部１０２に撮像素子１０３を取り付ける構成とすることもできる。
【００２１】
（カメラ取付体２の概略構成）
次に、図３，４を参照しながら、カメラ取付体２の構成について説明する。図３は、カメラ取付体２の平面図であり、図４は、図３に示す切断線Ａ−Ａにおけるカメラ取付体２の概略の構成を示す断面構成図である。カメラ取付体２は、カメラ１００をカメラ検査装置１に対して位置決めしかつ固定状態で取り付けるための治具であり、本体部８と、カメラ１００の筐体１０５を所定位置に位置決めするカメラ位置決め部９と、カメラ位置決め部９に位置決めされた筐体１０５をカメラ取付体２に対して固定するカメラ固定具１０Ａ，１０Ｂと、中継部材１１と、カメラ１００のフレキシブル基板１０４を中継部材１１に対して位置決めするフレキシブル基板位置決め部１２と、フレキシブル基板１０４を中継部材１１に対して固定するフレキシブル基板固定具１３と、中継部材１１を本体部８に対して固定する中継基板固定具１４と、第２電極１５等を有する。
【００２２】
（本体部８の構成）
本体部８は、板状体を呈し、この本体部８には、上述したカメラ位置決め部９、カメラ固定具１０Ａ，１０Ｂ、中継基板保持部１６、および中継基板固定具１４等が設けられる。本体部８は、ステージ３に対して固定されている。また、第２電極１５は、本体部８内を通る図示を省略する配線部等を介して制御部６に対して接続されている。第２電極１５は、フレキシブル基板１０４の電極１０６（図２参照）と一対一で電気的に接続可能にＹ方向に複数個配設され、図示を省略する弾性部材としてのスプリングにより、中継部材１１側に向けて付勢された状態で支持されている。第２電極１５は、たとえば、いわゆるスプリングプローブあるいはポゴピンとして構成することができる。
【００２３】
（カメラ位置決め部９）
カメラ位置決め部９は、直角の内角９Ｒを有する４つの壁部９Ａ，９Ｂ，９Ｃ，９Ｄを有する。４つの壁部９Ａ，９Ｂ，９Ｃ，９Ｄは、それぞれ本体部８のカメラ取付面１７に対して立設され、内角９Ｒは、平面視（図３）において直角となっている。４つの壁部９Ａ，９Ｂ，９Ｃ，９Ｄは、点Ｐに対して対称に配置され、Ｙ方向の２方向とＺ方向の２方向について筐体１０５を位置決めすることができるように配置されている。
【００２４】
具体的には、各壁部９Ａ，９Ｂ，９Ｃ，９Ｄは、内角９Ｒが直方体を呈する筐体１０５の底面（撮像素子１０３が配置される面）側の隅角を嵌め込むことができる形状に形成されている。筐体１０５の底面側の４つの隅角が、壁部９Ａ，９Ｂ，９Ｃ，９Ｄの内角９Ｒに嵌り込むことで、筐体１０５の位置決めが行われる。
【００２５】
筐体１０５がカメラ位置決め部９に位置決めされた状態で、カメラ１００の撮影レンズ１０１の光軸Ｘ２をカメラ検査装置１の光軸Ｘ１に一致させることができるように、壁部９Ａ，９Ｂ，９Ｃ，９Ｄは本体部８に配置されている。カメラ１００の検査は、筐体１０５がカメラ位置決め部９に位置決めされた状態で行われる。すなわち、筐体１０５がカメラ位置決め部９に位置決めされた位置は、カメラ１００の検査位置である。
【００２６】
（カメラ固定具１０Ａ，１０Ｂ）
カメラ固定具１０Ａ，１０Ｂは、筐体１０５がカメラ位置決め部９に位置決めされた状態で、筐体１０５をカメラ位置決め部９に対して押圧することにより、筐体１０５が位置決めされた状態から移動することを防止する。カメラ固定具１０Ａ，１０Ｂは、不図示のスプリング、エアシリンダーあるいは油圧シリンダー等により構成される付勢部材（手段）を備える。
【００２７】
カメラ固定具１０Ａは、Ｙ方向に配置され、カメラ固定具１０ＢはＺ方向に配置される。カメラ固定具１０Ａは、筐体１０５をカメラ位置決め部９Ａ，９Ｂに向けて付勢し、筐体１０５がＹ方向へ移動しないように、筐体１０５をカメラ位置決め部９Ａ，Ｂとカメラ固定具１０Ａとの間に保持する。カメラ固定具１０Ｂは、筐体１０５をカメラ位置決め部９Ｂ，９Ｃに向けて付勢し、筐体１０５がＺ方向へ移動しないように、筐体１０５をカメラ位置決め部９Ｂ，９Ｃとカメラ固定具１０Ｂとの間に保持する。
【００２８】
（中継基板保持部１６）
本体部８には、カメラ取付面１７に開口する凹部にて形成される中継基板保持部１６が設けられている。中継基板保持部１６は、中継部材１１がＹ方向およびＺ方向に移動可能に嵌る大きさの凹部である。つまり、中継基板保持部１６に嵌った中継部材１１のＹ方向およびＺ方向には、それぞれ間隙１８Ａ，１８Ｂを有し、中継部材１１は中継基板保持部１６内をＹ方向に間隙１８Ａ分、Ｚ方向に間隙１８Ｂ分だけ移動することができる。すなわち、中継部材１１は、フレキシブル基板１０４が接続された状態で、フレキシブル基板１０４の幅方向（＝Ｙ方向）およびフレキシブル基板１０４の長さ方向（＝Ｚ方向）に移動することができる。
【００２９】
（中継基板固定具１４）
中継基板固定具１４は、中継基板保持部１６内に配置された中継部材１１が中継基板保持部１６で移動してしまうことを防止する。中継基板固定具１４は、片部１４Ａと軸部１４Ｂと有し、片部１４Ａは軸部１４Ｂを軸に回転可能である。中継部材１１が中継基板保持部１６内に配置された状態で、片部１４Ａを軸部１４Ｂの周りに回転し、片部１４Ａを中継基板保持部１６側に競り出させることで、中継部材１１を中継基板保持部１６から抜け落ちないように、かつ、中継基板保持部１６内で移動してしまわないように保持することができる。
【００３０】
中継基板固定具１４は、中継部材１１を中継基板保持部１６の底面１６Ａに向かって押圧した状態で中継基板保持部１６内に保持する。第２電極１５は、上述したように不図示のスプリングにより中継部材１１に向けて付勢されている。したがって、第２電極１５と後述する中継部材１１側の第３電極２０とは、第２電極１５が第３電極２０に対して付勢された状態で接触する。これにより、第２電極１５と第３電極２０との接触が確実なものとされる。
【００３１】
（中継部材１１）
中継部材１１は、板状体を呈し、第１電極１９と、第３電極２０と、フレキシブル基板位置決め部１２と、フレキシブル基板固定具１３とを有する。第１電極１９も、第２電極１５と同様にフレキシブル基板１０４の電極１０６に一対一で対応するように、Ｙ方向に複数個配設されている。また、第３電極２０も、第２電極１５と同様にフレキシブル基板１０４の電極１０６に一対一で対応するように、Ｙ方向に複数個配設され、第１電極１９と第３電極２０とは電気的に導通している。
【００３２】
第１電極１９は、後述するように、フレキシブル基板１０４を中継部材１１の所定位置に取り付けた状態で、フレキシブル基板１０４の電極１０６（図２参照）と接触可能である。また、第１電極１９は、弾性部材としてのスプリング２１（図５参照）により、フレキシブル基板１０４の電極１０６に接触する側、すなわちＸ方向に向けて付勢された状態で支持されている。したがって、第１電極１９とフレキシブル基板１０４の電極１０６とは、第１電極１９が電極１０６に対して付勢された状態で接触する。
【００３３】
第３電極２０は、中継部材１１を中継基板保持部１６内に配置したときに、第２電極１５と接触可能な電極である。つまり、中継部材１１が中継基板保持部１６内に配置され、第３電極２０と第２電極１５が接触している状態で、フレキシブル基板１０４を中継部材１１にセットし、フレキシブル基板１０４の電極１０６と中継部材１１の第１電極１９とが接触されることで、カメラ１００とカメラ検査装置１の制御部６とが電気的に接続される。
【００３４】
図５に中継部材１１の詳しい構成を示す。中継部材１１は、図５の左欄（Ａ）に示すように、Ｘ方向で互いに重ね合わされる第１部材１１Ａと第２部材１１Ｂとを有する。第１電極１９は、上述したように、中継部材１１に取り付けられたフレキシブル基板１０４の電極１０６に向けてスプリング２１により付勢可能な状態で支持されている。
【００３５】
また、第１部材１１Ａには、第４電極２２がスプリング２１により第２部材１１Ｂに向けて付勢可能な状態で支持されている。第４電極２２は、第１電極１９の電極１０６に接触する側とは反対側に配置され、第１電極１９と電気的に導通している。つまり、第１電極１９と第４電極２２とは電気的に導通し、両電極の間に配置されるスプリング２１により互いに反対方向に弾性的に支持されている。第１電極１９および第４電極２２は、たとえば、いわゆるスプリングプローブあるいはポゴピンとして構成することができる。なお、第４電極２２はＹ方向に複数配設され、第１電極１９と一対一で対応している。
【００３６】
第２部材１１Ｂの第１部材１１Ａが配置される側の面には、複数の第４電極２２にそれぞれ接触可能な配線部２３（プリント配線）が設けられている。この配線部２３は、スルーホール部２４を介して第３電極２０に接続している。図５の右欄（Ｂ）に示すように、第２部材１１Ｂを第１部材１１Ａに配線部２３が第４電極２２に接触するように合わせ、両者をねじあるいは接着等により固定することで、第１電極１９と第４電極２２と第３電極２０とが電気的に接続する。
【００３７】
中継基板保持部１６は、第３電極２０が第２電極１５に対して接触可能な範囲で、中継部材１１の移動を許容する大きさ（Ｙ−Ｚ方向の大きさ）に構成されている。すなわち、中継部材１１がＹ−Ｚ方向に移動しても、中継基板保持部１６の内周縁部１６Ｂにより中継部材１１の移動が規制されるため、第３電極２０が第２電極１５から外れてしまうことが防止される。
【００３８】
（フレキシブル基板位置決め部１２）
フレキシブル基板位置決め部１２は、フレキシブル基板１０４の端部１０４Ａの端縁１０４Ｂと側縁１０４Ｃとに当接し、フレキシブル基板１０４の中継部材１１への位置決めを行う部分である。フレキシブル基板位置決め部１２は、平面視（図３）において直角の内角１２Ｒを有する壁部１２Ａを有する。
【００３９】
フレキシブル基板１０４の端部１０４Ａの端縁１０４Ｂおよび側縁１０４Ｃを内角１２Ｒに合わせた状態に配置することで、フレキシブル基板１０４の中継部材１１に対する位置決めを行うことができる。フレキシブル基板１０４をフレキシブル基板位置決め部１２により中継部材１１に対する位置決めした状態で、フレキシブル基板１０４の電極１０６と第１電極１９とは接触する。
【００４０】
（フレキシブル基板固定具１３）
フレキシブル基板固定具１３は、フレキシブル基板位置決め部１２に位置決めされたフレキシブル基板を中継部材１１から脱落しないように保持する。フレキシブル基板固定具１３は、片部１３Ａと軸部１３Ｂと有し、片部１３Ａは軸部１３Ｂを軸に回転可能である。片部１３Ａは、フレキシブル基板１０４がフレキシブル基板位置決め部１２に位置決めされた状態で、片部１３Ａをフレキシブル基板１０４側に競り出るように回転させることで、フレキシブル基板１０４を中継部材１１との間に保持させる。
【００４１】
なお、フレキシブル基板固定具１３は、フレキシブル基板１０４を中継部材１１に向かって押圧した状態で保持する。第１電極１９は、不図示のスプリングにより中継部材１１のフレキシブル基板１０４が接続される側に向けて付勢されている。したがって、第１電極１９とフレキシブル基板１０４の電極１０６とは、第１電極１９がフレキシブル基板１０４の電極１０６に対して付勢された状態で接触する。これにより、第１電極１９とフレキシブル基板１０４の電極１０６との接触が確実なものとされる。
【００４２】
（カメラ１００の本体部８への取り付け）
上述の構成を備えるカメラ検査装置１においては、カメラ１００の検査を行うに際して、カメラ１００の筐体１０５を、カメラ固定具１０Ａ，１０Ｂで壁部９Ａ，９Ｂおよび壁部９Ｂ，９Ｃに対して押圧し位置決めした状態で本体部８に取り付ける。そして、カメラ１００のフレキシブル基板１０４の端部１０４Ａをフレキシブル基板位置決め部１２に位置決めした状態でフレキシブル基板固定具１３により、フレキシブル基板１０４を中継部材１１との間に保持させる。これにより、カメラ１００が制御部６に電気的に接続され、カメラ１００の検査が可能となる。
【００４３】
（第１電極１９，第２電極１５，第３電極２０の配置等）
ところで、第１電極１９，第２電極１５，第３電極２０の配置と、第２電極１５および第３電極２０の大小の関係は、図６に示すようになっている。図６は、フレキシブル基板１０４の電極１０６と、第１電極１９、第２電極１５、第３電極２０の配置等を模式的に示した図である。
【００４４】
図６に示すように、フレキシブル基板１０４の電極１０６の配置のピッチＰ１と第１電極１９の配置のピッチＰ２は同一である。一方、第２電極１５の配置のピッチＰ３と第３電極２０の配置のピッチＰ４とは同一であると共に、ピッチＰ３およびピッチＰ４は、ピッチＰ２よりも広く構成されている。
【００４５】
また、第２電極１５のフレキシブル基板１０４の幅方向、すなわち、第２電極１５の配設の方向の寸法Ｗ１および第３電極２０のフレキシブル基板１０４の幅方向（第１電極１９の配設の方向）の寸法Ｗ２は、第１電極１９の配設方向の寸法Ｗ３よりも広い。
【００４６】
（実施の形態の主な効果）
上述したカメラ検査装置１は、検査対象となるカメラ１００が取り付けられるカメラ取付体２と、中継部材１１と、カメラ位置決め部９と、フレキシブル基板位置決め部１２とを備える。中継部材１１は、フレキシブル基板１０４に設けられる電極１０６に接続する第１電極１９と、カメラ取付体２の本体部９側に設けられる第２電極１５に接続する第３電極２０とを有すると共に、カメラ取付体２に対してフレキシブル基板１０４の幅方向に移動可能となっている。
【００４７】
カメラ位置決め部９は、４つの壁部９Ａ，９Ｂ，９Ｃ，９Ｄを有し、筐体１０５の底面側の４隅角が、壁部９Ａ，９Ｂ，９Ｃ，９Ｄの内角９Ｒに嵌り込むことで、筐体１０５がカメラ取付体２に対して位置決めが行われる。フレキシブル基板位置決め部１２は、直角の内角１２Ｒを有する壁部１２Ａを有し、フレキシブル基板１０４の端部１０４Ａの端縁１０４Ｂおよび側縁１０４Ｃを内角１２Ｒに沿わせた状態に配置することで、フレキシブル基板１０４の中継部材１１に対する位置決めが行われる。フレキシブル基板１０４をフレキシブル基板位置決め部１２により中継部材１１に対する位置決めが行われた状態で、フレキシブル基板１０４の電極１０６と第１電極１９とは接触する。
【００４８】
中継部材１１は、中継基板保持部１６の内側に、Ｙ方向およびＺ方向に移動可能に配置されている。つまり、カメラ検査装置１は、第１電極１９がＹ方向およびＺ方向に移動可能な構成となっている。したがって、フレキシブル基板１０４のカメラ１００への取り付け位置がフレキシブル基板１０４の幅方向でカメラ１００毎に異なる場合であっても、筐体１０５をカメラ位置決め部９により本体部８に対して位置決めした状態で、フレキシブル基板１０４にかかる応力を抑えてフレキシブル基板１０４の電極１０６を中継部材１１に接触させることができる。
【００４９】
つまり、仮に、第１電極１９の位置が移動しない場合には、カメラ１００の個体毎に、フレキシブル基板１０４のカメラ１００への取り付け位置がフレキシブル基板１０４の幅方向に異なる場合には、電極１０６を第１電極１９に接触するように、フレキシブル基板１０４を幅方向に湾曲させなくてはならない場合がある。ところが、フレキシブル基板１０４は幅方向について可撓性が少ない。
【００５０】
そのため、フレキシブル基板１０４を幅方向について撓ませるとその応力で、筐体１０５を所定の検査位置に位置決めすることができなかったり、フレキシブル基板１０４の電極１０６と第１電極１９との接続に不良が発生したり、あるいはフレキシブル基板１０４とカメラ１００との接続部が破断してしまうという虞がある。しかしながら、本実施の形態のカメラ検査装置１の構成によれば、中継部材１１がＹ方向に移動可能、つまり、第１電極１９がＹ方向に移動可能であるため、フレキシブル基板１０４の電極１０６の位置に第１電極１９を合わせるように配置できる。これにより、フレキシブル基板１０４に応力が発生しくい状態で、電極１０６と第１電極１９とを接触させることができる。
【００５１】
なお、本実施の形態では、中継部材１１がＹ方向およびＺ方向に移動可能に構成されている。中継部材１１は、少なくともＹ方向について移動可能とすれば、フレキシブル基板１０４のカメラ１００への幅方向への取り付け位置に個体差があっても、フレキシブル基板１０４に応力をできるだけ発生しないようにしながら第１電極１９を電極１０６に接触させることができる。しかしながら、中継部材１１をＺ方向にも移動可能に構成することで、フレキシブル基板１０４に応力をより発生しないようにしながら第１電極１９を電極１０６に接触させることができる。また、中継部材１１をＺ方向にも移動可能に構成することで、フレキシブル基板１０４のカメラ１００への取り付け位置がフレキシブル基板１０４の長さ方向でカメラ１００毎に異なる場合であっても、フレキシブル基板１０４に応力をより発生しないようにしながら第１電極１９を電極１０６に接触させることができる。
【００５２】
また、図６に示すように、第２電極１５の配置のピッチＰ３および第３電極２０の配置のピッチＰ４は、第１電極１９の配置のピッチＰ２よりも広く、第２電極１５のＹ方向の寸法Ｗ１および第３電極２０のＹ方向の寸法Ｗ２は、第１電極１９のＹ方向の寸法Ｗ３よりも広い。このように構成した場合には、第１電極１９と電極１０６とを接続する際に、中継部材１１が第１電極１９の部分を中心に回転させても、第３電極２０と第２電極１５とが接触し易いものとなる。
【００５３】
フレキシブル基板１０４の幅は、例えば、５ｍｍ程度と細く、そのため、電極１０６の配設のピッチＰ１も狭くまた、電極１０６の幅も狭い。したがって、第１電極１９の配設ピッチＰ２と寸法Ｗ３は、電極１０６と同様に狭い。
【００５４】
このため、仮に、第２電極１５の配設のピッチＰ３と寸法Ｗ１および第３電極２０の配設のピッチＰ４と寸法Ｗ２を第１電極１９と同一とした場合には、中継部材１１がＹ方向に移動した際に、第２電極１５と第３電極２０の接触が極めて外れやすい。すなわち、第２電極１５と第３電極２０との接触状態を確保することが難しい。しかしながら、第２電極１５の配設のピッチＰ３と寸法Ｗ１および第３電極２０の配設のピッチＰ４と寸法Ｗ２を上述のように構成することで、中継部材１１が第１電極１９の部分を中心に回転するように移動した場合にも、第３電極２０と第２電極１５とが接触し易いものとすることができる。
【００５５】
なお、本実施の形態では、第２電極１５の寸法Ｗ１と第３電極２０の寸法Ｗ２は、同一としている。寸法Ｗ１と寸法Ｗ２とは、いずれか一方を第１電極１９の寸法Ｗ３よりも広くすることで、第２電極１５と第３電極２０とが接触し易くなる。しかしながら、寸法Ｗ１および寸法Ｗ２を同一寸法で、かつ、第１電極１９の寸法Ｗ３よりも広くすることで、寸法Ｗ１および寸法Ｗ２の両者の寸法が異なる場合に比べて、第２電極１５と第３電極２０との接触をし易くすることができる。
【００５６】
第１電極１９は、弾性部材としてのスプリング２１により、フレキシブル基板１０４の電極１０６に接触する側、すなわちＸ方向に向けて付勢された状態で支持されている。したがって、第１電極１９とフレキシブル基板１０４の電極１０６とは、第１電極１９が電極１０６に対して付勢された状態で接触する。これにより、第１電極１９と電極１０６との接触が確実なものとされる。
【００５７】
また、第２電極１５は、図示を省略する弾性部材としてのスプリングにより、中継部材１１側に向けて付勢された状態で支持されている。したがって、第２電極１５と第３電極２０とは、第２電極１５が第３電極２０に対して付勢された状態で接触する。これにより、第２電極１５と第３電極２０との接触が確実なものとされる。
【００５８】
なお、第２電極１５を第３電極２０に対して付勢する構成に換えて、第３電極２０を弾性部材としてのスプリングにより、第２電極１５側に向けて付勢する構成としてもよい。このように構成した場合には、第２電極１５と第３電極２０とは、第３電極２０が第２電極１５に対して付勢された状態で接触し、第２電極１５と第３電極２０との接触が確実なものとされる。
【００５９】
カメラ取付体２は、第１電極１９のＸ方向に第２電極１５が配置されるように構成することもできる。しかしながら、本実施の形態におけるカメラ取付体２の中継部材１１は、第３電極２０が第１電極１９に対してＺ方向に離間して配置されている。そのため、第３電極２０の配置のピッチＰ４を、第１電極１９の配置のピッチＰ２よりも広く取る構成とし易い。
【００６０】
また、配線部２３が、第２部材１１Ｂの第１部材１１Ａとの重ねわせ面に設けられている。すなわち、第１電極１９と第３電極２０との接続が、中継部材１１の内部で行われている。そのため、配線部２３に塵埃等が付着することを防止できる。
【００６１】
仮に、配線部２３を中継部材１１の中継基板保持部１６の底面１６Ａ側に露出させた場合には、底面１６Ａに溜まった塵埃等が配線部２３を短絡させる虞がある。しかしながら、配線部２３を中継部材１１の内部に設けることで、係る虞を低減させることができる。
【００６２】
なお、配線部２３を第１部材１１Ａの第２部材１１Ｂ側の面に形成し、第１電極１９と配線部２３とをスルーホール部にて接続する構成とし、第２部材１１Ｂを第１部材１１Ａに重ね合わせたときに、配線部２３が第２部材１１により覆わる構成としてもよい。この場合には、第４電極２２は不要であり、また、第２部材１１Ｂを第１部材１１Ａに重ね合わせたときに、第２部材１１Ｂのスルーホール部２４が配線部２３に接触することとなる。
【００６３】
（他の実施の形態）
上述の実施の形態においては、カメラ検査装置１には、カメラ取付体２が１つ備えられ、また、本体部８がステージ３に対して固定されている。しかしながら、カメラ検査装置１は、カメラ取付体２が複数備えられ、複数のカメラ取付体が、例えば、回転テーブルにより回転され、順次、カメラが検査位置に配置され、検査および調整を行う構成としてもよい。
【００６４】
上述のように、回転テーブルにより複数のカメラ取付体２が回転され、順次、検査位置に配置されるカメラに対して検査および調整を行う構成を採る場合には、図７に示すように、検査位置に配置されたカメラ取付体２に対してステージ３が進退する構成とすることが好ましい。かかる構成とする場合には、本体部８の底面１８Ａにはステージ３側に貫通する開口部１８Ｃを形成し、また、第２電極１５をテージ３側に備える。
【００６５】
中継基板保持部１６内に配置される中継部材１１は、開口部１８Ｃの周縁に形成される１６Ａにより支持される。中継基板保持部１６内に配置される中継部材１１の第３電極３０は、開口部１８Ｃからステージ３側に臨むことができる。
【００６６】
ステージ３は、回転テーブルの回転方向について固定位置に配置され、カメラ取付体２が回転テーブルにより回動されている間は、図７に示すように、本体部８から離間した位置に配置されている。回転テーブルの回転によりカメラ取付体２が検査位置に配置されると、図７において２点鎖線で示されるように本体部８と接触する位置に移動する。ステージ３が本体部８と接触する位置に配置されると、第２電極１５と第３電極２０とが接触する。これにより、カメラ１００とカメラ検査装置１の制御部６とが電気的に接続される。つまり、フレキシブル基板１０４を中継部材１１にセットすることでフレキシブル基板１０４の電極１０６と中継部材１１の第１電極１９とが接触され、この状態で、ステージ３が本体部８と接触する位置に配置されると、第２電極１５と第３電極２０とが接触し、カメラ１００とカメラ検査装置１の制御部６とが電気的に接続される。
【００６７】
また、上述の実施の形態においては、カメラ位置決め部９により位置決めされた筐体１０５は、カメラ固定具１０Ａ，１０Ｂにより固定され、また、フレキシブル基板位置決め部１２に位置決めされたフレキシブル基板１０４は、フレキシブル基板固定具１３により固定されている。これに対し、たとえば、筐体１０５がカメラ位置決め部９により位置決めされると共に、フレキシブル基板１０４がフレキシブル基板位置決め部１２に位置決めされた状態で、本体部に回動軸を有する蓋体をカメラ１００に対してＸ方向から覆せることで、この蓋体により、筐体１０５およびフレキブル基板１０４の固定を行う構成としてもよい。
【符号の説明】
【００６８】
１  …  カメラ検査装置
２  …  カメラ取付体
９  …  カメラ位置決め部
１１  …  中継部材
１２  …  フレキシブル基板位置決め部
１５  …  第２電極
１９  …  第１電極
２０  …  第３電極
２１  …  スプリング（弾性部材）
Ｗ１  …  第２電極の幅方向の寸法
Ｗ２  …  第３電極の幅方向の寸法
Ｗ３  …  第１電極の幅方向の寸法
Ｐ２  …  第１電極の配置のピッチ
Ｐ３  …  第２電極の配置のピッチ
Ｐ４  …  第３電極の配置のピッチ
１０４  …  フレキシブル基板
１００  …  カメラ
１０６  …  電極
【図１】
2014081525.tif 000003
【図２】
2014081525.tif 000004
【図３】
2014081525.tif 000005
【図４】
2014081525.tif 000006
【図５】
2014081525.tif 000007
【図６】
2014081525.tif 000008
【図７】
2014081525.tif 000009